(57)【要約】【課題】コンパクト入口案内ベーンシステムを製作しかつコンパクト入口案内ベーンシステムを作動させるのに必要な力を軽減するための装置及び方法を提供する。【解決手段】それに限定されないが、作動ロッド、作動リング、クランクロッド、クランク並びに関連するコネクタ及びブッシュを含む入口案内ベーンシステムの構成要素は、同一面内に組立てられる。この点に関して、力がアクチュエータロッドに適用されかつ入口案内ベーンシステム構成要素を通して伝達された時に、力は単一面内で作用する。さらに、面は、作動リングの回転軸中心上に中心合せされる。【選択図】      図１
2013053622.tif 000002
【特許請求の範囲】
【請求項１】
入口案内ベーン作動装置であって、
第１のコネクタがその回転軸中心上にアクチュエータロッドを配置するように該アクチュエータロッドを結合するようになった該第１のコネクタを備えた作動リングと、
前記作動リングの回転軸中心上に位置決めされた複数の第２のコネクタにそれぞれ結合された第１の端部を備えた複数のクランクロッドと、
第３のコネクタが前記作動リングの回転軸中心上に位置決めされるようにそれぞれ前記複数のクランクロッドの第２の端部に結合されかつノズルと関連するベーンにそれぞれ結合された該第３のコネクタをその各々が備えた複数のクランクと、を含む、
装置。
【請求項２】
前記クランクがスプライン継手で前記ベーンに結合される、請求項１記載の装置。
【請求項３】
前記スプライン継手がブッシュによって中心合せされる、請求項２記載の装置。
【請求項４】
前記作動リング、複数のクランクロッド及び複数のクランクが、単一面四バー機構である、請求項１記載の装置。
【請求項５】
前記作動リングが、前記アクチュエータロッドと関連する動きの方向に基づいて、前記回転軸中心の周りで時計方向又は反時計方向のいずれかに回転する、請求項１記載の装置。
【請求項６】
該装置が、前記四バー機構の構成要素が２つ又はそれ以上の回転軸面にわたって分散配置された装置よりも寸法的に小さい、請求項４記載の装置。
【請求項７】
該装置を作動させるのに必要な力が、前記四バー機構の構成要素が２つ又はそれ以上の回転軸面にわたって分散配置された装置を作動させるのに必要な力よりも小さい、請求項４記載の装置。
【請求項８】
前記第１の端部上の前記第１のコネクタ及び前記複数のクランクロッドの第２の端部上の前記第２のコネクタが、それぞれ複数のブッシュによって中心合せされる、請求項１記載の装置。
【請求項９】
ターボ機械であって、
該ターボ機械の構成要素を収納するようになったケーシングと、
前記ケーシングと関連する回転シャフト上に取付けられた複数のロータと、
前記ケーシング内に取付けられた複数のステータと、
作動流体の導入を可能にする入口結合部と、
入口案内ベーン作動装置と、
を含み、前記入口案内ベーン作動装置が、
第１のコネクタが作動リングの回転軸中心上にアクチュエータロッドが配置されるように該アクチュエータロッドを結合するようになった該第１のコネクタを備えた作動リングと、
前記作動リングの回転軸中心上に位置決めされた複数の第２のコネクタにそれぞれ結合された第１の端部を備えた複数のクランクロッドと、
第３のコネクタが前記作動リングの回転軸中心上に位置決めされるようにそれぞれ前記複数のクランクロッドの第２の端部に結合されかつノズルと関連するベーンにそれぞれ結合された該第３のコネクタをその各々が備えた複数のクランクと、を含む、
ターボ機械。
【請求項１０】
ターボ機械と関連する入口案内ベーンシステムを製作するための方法であって、
アクチュエータロッドが作動リングの回転軸中心上に中心合せされるように前記ターボ機械と関連する該アクチュエータロッドの第１の端部をターボ機械に結合するステップと、
複数のクランクロッドが前記作動リングの回転軸中心上に中心合せされるように該複数のクランクロッドの各々の第１の端部をそれぞれ該作動リング上の複数のコネクタに結合するステップと、
前記ターボ機械と関連する複数のクランクが前記作動リングの回転軸中心上に中心合せされるように該複数のクランクをそれぞれ前記複数のクランクロッドの各々の第２の端部に結合させかつ複数のベーンにそれぞれ結合するステップと、を含む、
方法。
【発明の詳細な説明】
【技術分野】
【０００１】
本明細書に開示した主題の実施形態は、総括的には方法及び装置に関し、より具体的には、より小さい適用力でターボ機械の入口案内ベーンをより正確に制御するための機構及び方法に関する。
【背景技術】
【０００２】
ターボ機械は一般的に、該ターボ機械の作動条件に基づいて調整される内部回転構成要素、例えば典型的には入口案内ベーン（ＩＧＶ）を有する。自動システムでは、入口案内ベーンを調整するのに、アクチュエータリングに結合されて固定ピンによって該リング上で回転駆動される四バー機構又はスロット付きノズルを作動させるアクチュエータロッドに取付けられたアクチュエータの使用を必要とする。利用可能な入口案内ベーン解決法では、従来技術の図１に示すようなベーンを調整するようになった入口案内ベーン制御構成要素は、異なる平行面内に配置される。例えば、図１を見ると四バー機構１０８は、ベーン１０６の面及び作動リング１０４の面間の面上に位置して、アクチュエータロッドが作動リング１０４上のピン１０２に結合される。別の実施例では、従来技術の図２は、異なる面内でベーン２０６を作動させるアクチュエータ２０８、作動リング２０４及びレバーを備えたスロット付きノズル駆動入口案内ベーン組立体を図示している。
【０００３】
現在利用可能な設計では、作動時に受ける幾つかの問題が生じる。四バーシステムに関して、ベーンを作動させるために適用される力は、アクチュエータリング及び四バー機構とは異なる面内に位置しかつ従って作動ロッド、作動リング及び四バー機構間のブッシュ並びに結合ポイントに関して非対称に適用される。従って、作動リングを回転させるのに必要な力を増大させるにつれて、作動ロッド上に曲げ力が生じかつ結合構成要素の無理な変形が生じる。同様に、図２に示すようなスロット付きノズルシステムは、作動力要求量、ジャミング及び乱調の増大を招く案内リングフレッティングを生じる。両方の機構の場合に、望ましい特性はまた、質量の減少及び入口案内ベーンシステムを作動させるのに必要な力の軽減の両方を生じる入口案内ベーンシステムのよりコンパクトな設計を含むことになる。参考文献として本明細書に組入れた米国特許出願番号第１２／４１５，４１７号には、従来技術の入口案内ベーンシステムの構造及び作動の詳細説明を提示している。
【先行技術文献】
【特許文献】
【０００４】
【特許文献１】米国特許出願公開第2010/0247287A号
【発明の概要】
【発明が解決しようとする課題】
【０００５】
従って、前述の問題及び欠点を回避する装置及び方法を提供することは望ましいと言える。
【課題を解決するための手段】
【０００６】
１つの例示的な実施形態によると、第１のコネクタが作動リングの回転軸中心上にアクチュエータロッドを配置するように該アクチュエータロッドを結合するようになった該第１のコネクタを備えた該作動リングを含む入口案内ベーン作動装置を提供する。次に本実施形態では、複数の第２のコネクタにそれぞれ結合された第１の端部を備えた複数のクランクロッドが、作動リングの回転軸中心上に位置決めされる。本例示的な実施形態を引き続き説明すると、第３のコネクタをその各々が備えた複数のクランクが、その各々が第３のコネクタを備えた複数のクランクが、該第３のコネクタが作動リングの回転軸中心上に位置決めされるようにそれぞれ複数のクランクロッドの第２の端部に結合されかつノズルと関連するベーンにそれぞれ結合される。
【０００７】
別の例示的な実施形態によると、ターボ機械に組入れた入口案内ベーンシステムを含む該ターボ機械を提供する。本例示的な実施形態を引き続き説明すると、入口案内ベーンシステムは、第１のコネクタが作動リングの回転軸中心上にアクチュエータロッドが配置されるように該アクチュエータロッドを結合するようになった該第１のコネクタを備えた作動リングを含む。次に本例示的な実施形態では、第１の端部を備えた複数のクランクロッドが、作動リングの回転軸中心上に位置決めされた複数の第２のコネクタにそれぞれ結合される。本例示的な実施形態を引き続き説明すると、第３のコネクタをその各々が備えた複数のクランクが、該第３のコネクタが作動リングの回転軸中心上に位置決めされるようにそれぞれ複数のクランクロッドの第２の端部に結合されかつノズルと関連するベーンにそれぞれ結合される。
【０００８】
別の例示的な実施形態によると、ターボ機械と関連する入口案内ベーンシステムを製作するための方法を提供する。本方法は、ターボ機械と関連する作動リングにアクチュエータロッドの第１の端部を結合するステップを含む。本例示的な実施形態を引き続き説明すると、本実施形態は、アクチュエータロッドが作動リングの回転軸中心上に中心合せされるようにターボ機械と関連する該作動リングに該アクチュエータロッドの第１の端部を結合するステップを含む。次に本例示的な実施形態を引き続き説明すると、本実施形態は、複数のクランクロッドが作動リングの回転軸中心上に中心合せされるように該複数のクランクロッドの各々の第１の端部をそれぞれ該作動リング上の複数のコネクタに結合するステップを含む。さらに、本例示的な実施形態を引き続き説明すると、本実施形態は、複数のクランクが作動リングの回転軸中心上に中心合せされるように複数のクランクロッドの各々の第２の端部にそれぞれ該複数のクランクを結合しかつターボ機械と関連する複数のベーンにそれぞれ結合するステップを含む。
【０００９】
本明細書に組入れかつその一部を構成する添付図面は、１つ又はそれ以上の実施形態を示しかつその説明と共にそれら実施形態を説明している。
【図面の簡単な説明】
【００１０】
【図１】異なる面内に作動構成要素を備えたターボ機械用の四バー入口案内ベーンシステムの従来技術の例示的な実施形態。
【図２】異なる面内に作動構成要素を備えたターボ機械用のスロット付きノズル入口案内ベーンシステムの従来技術の例示的な実施形態。
【図３】同一面内に作動構成要素を備えたターボ機械用のコンパクト単一面入口案内ベーンシステムの例示的な実施形態。
【図４】例示的な実施形態によるターボ機械と一体形になった単一面入口案内ベーンシステムを作動させるためのステップを示すフロー図。
【発明を実施するための形態】
【００１１】
例示的な実施形態の以下の説明は、添付図面を参照する。異なる図面における同じ参照符号は同一の又は類似の要素を表す。以下の詳細な説明は、本発明を限定するものではなくて、代わりに本発明の技術的範囲は特許請求の範囲によって定められる。簡単にするために、以下の実施形態は、それに限定されないが圧縮機及びエキスパンダを含むターボ機械の用語及び構造に関して説明する。ターボ機械は一般的に、ケーシング、回転シャフト、回転シャフトに取付けられたロータ、ケーシングに取付けられたステータ、作動流体がターボ機械に流入するのを可能にする結合部及び作動流体がターボ機械から流出するのを可能にする結合部を含む。
【００１２】
「１つの実施形態」又は「ある実施形態」に対する明細書全体にわたる参照符号は、実施形態に関連して説明した特定の特徴、構造又は特性が、開示した主題の少なくとも１つの実施形態に含まれることを意味する。従って、明細書全体にわたる様々な箇所での「１つの実施形態」における又は「ある実施形態」におけるという文言の表現は、同じ実施形態を説明するのに必ずしも必要ではない。さらに、特定の特徴、構造又は特性は、１つ又はそれ以上の実施形態においてあらゆる好適な方法で組合せることができる。
【００１３】
図３に示すように、例示的な実施形態は、コンパクト入口案内ベーンシステム３００を図示している。例示的な実施形態の１つの態様では、作動ロッド３０２は、作動リング３０８の軸方向幅に関して該作動リング３０８の中心点において作動リング３０８に結合される。例示的な実施形態は、作動リング３０８から半径方向外向きに延びる２つのブラケット３０４を図示している。作動リング３０８の各端縁部には１つのブラケット３０４を設けて、作動リング上に中心合せした位置に配置された作動ロッドを結合するための該ブラケット３０４間の空間を形成する。例示的な実施形態では、作動ロッド３０２及び各ブラケット３０４の孔を通してピンを固定して、該作動ロッド３０２が該ブラケット３０４に対して回転するのを可能にすることに注目されたい。
【００１４】
この例示的な実施形態を引き続き説明すると、作動ロッド３０２はアクチュエータによって移動される時に、作動リング３０８上に中心合せされた力が該作動ロッド３０２によって該作動リング３０８に適用されかつ作動リング３０８は作動ロッド３０２の移動の方向に基づいて時計方向又は反時計方向のいずれかに回転する。例示的な実施形態の別の態様では、作動リング３０８の回転は、一方の端部上の該作動リング３０８及び他方の端部上の典型的なクランク３０６に結合されたクランクロッド３１０を移動させる。例示的な実施形態では、作動ロッド３０２のような典型的なクランクロッド３１０が、作動リング３０８の軸方向幅に関して該作動リング３０８上に中心合せされることに注目されたい。
【００１５】
さらに、例示的な実施形態では、クランク３０６が作動ロッド３０２用の作動リング３０８の結合ポイントについて前述したのと同様の設計のロッド３１０用の結合ポイントを有し、クランクロッド３１０上の作動リング３０８及びクランク３０６上のクランクロッド３１０によって作用する力が作動リング３０８の軸方向中心面内に位置することに注目されたい。言い換えると、クランク３０６は典型的なスプライン継手３１４により典型的なノズルベーン３１２に結合され、かつクランク３０６が回転するとノズルベーン３１２が流体通路における所望の位置に調整される。
【００１６】
従って、例示的な実施形態は、作動ロッド３０２に対して力を適用するステップと、その全てが作動リング３０８の軸方向中心における同一軸方向面内に位置決めされてノズルベーン３１２を所望の位置に調整する回転力となる異なる制御及びてこ機構を通してこの力を伝達するステップとを含む。単一軸方向面力適用設計に基づいて、多数の軸方向面を通して分散配置された機構にわたり適用力を伝達することと関連する結合ポイント及びそれらのブッシュ上の曲げ力が減少するので、ノズルベーン３１２における所望の移動を発生しかつノズルベーン固着の機会を減少させるためにより小さい力が必要となる。
【００１７】
次に図４を参照して、入口案内ベーンシステムを製作する例示的な方法の実施例を説明する。図４は、作動ロッドの不整合を回避することができるので、限定としてではなく実施例として結合ポイントと関連する摩擦及び拘束損失を減少させかつ付加的な制御精度を改善することができるように入口案内ベーンシステムの構成要素を結合するための例示的な方法の実施形態のステップを示す。例示的な方法の実施形態は、アクチュエータロッド３０２を作動リング３０８に結合するステップ４０２を含む。例示的な方法の実施形態の１つの態様では、作動リング３０８は、２つの対称的形成ブラケット３０４間へのアクウチュエータロッド３０２の結合を可能にする結合ポイントを有する。例示的な方法の実施形態を引き続き説明すると、ピン及びブッシュ機構が１つのブラケット３０４、アクチュエータロッド３０２及び次にその他のブラケット３０４を貫通して挿入される。例示的な方法の実施形態の別の態様では、対称的ブラケット３０４によって表した取付け位置は、作動リング３０８の回転軸方向中心に対応する面内にアクチュエータロッド３０２を位置決めする。
【００１８】
次に例示的な方法の実施形態のステップ４０４において、複数のクランクロッド３１０の各々の一方の端部が作動リング３０８上の結合部にそれぞれ結合される。例示的な方法の実施形態では、作動リング３０８が回転するとクランクロッド３１０が結合ポイントの周りで回転することができることに注目されたい。例示的な方法の実施形態の別の態様では、作動リング３０８上の結合ポイントによって表した取付け位置は、作動リング３０８の回転軸方向中心に対応する面内にクランクロッド３１０を位置決めする。
【００１９】
例示的な方法の実施形態のステップ４０６を引き続き説明すると、複数のクランク３０６が、複数のクランクロッド３１０の第２の端部にそれぞれ結合される。例示的な方法の実施形態では、作動リング３０８が回転すると、クランクロッド３１０がそれぞれのクランク上の結合ポイントの周りで回転することができることに注目されたい。複数のクランク３０６はまた、ターボ機械と関連する複数のベーン３１２にそれぞれ結合される。例示的な方法の実施形態のさらに別の態様では、クランクロッド上の結合ポイントによって表した取付け位置は、作動リング３０８の回転軸方向中心に対応する面内にクランク３０６を位置決めする。
【００２０】
この開示した例示的な実施形態は、アクチュエータをターボ機械内に一体形にしかつターボ機械にわたるプロセス流体圧力勾配に基づいてアクチュエータを作動させるための装置及び方法を開示している。この説明は、本発明を限定することを意図するものではないことを理解されたい。逆に、本例示的な実施形態は、特許請求の範囲によって定められた本発明の技術思想及び技術的範囲内に含まれる変形例、改良例及び均等物を保護することを意図している。さらに、例示的な実施形態の詳細な説明では、特許請求した発明の包括的理解を得るために多くの具体的な詳細を記載している。しかしながら、当業者は様々な実施形態がそのような具体的な詳細なしに実施することができることを理解するであろう。
【００２１】
この例示的な実施形態の特徴及び要素は特定の組合せにおける実施形態として説明しているが、各特徴又は要素は、実施形態のその他の特徴及び要素を備えないで単独で或いは本明細書に開示したその他の特徴及び要素を備えるか又は備えないで様々な組合せとして使用することができる。本明細書の記載は、最良の形態を含む実施例を使用して本発明を開示しまた当業者があらゆる装置又はシステムを製作しかつ使用しまたあらゆる組込み方法を実施するような本発明の実施を可能にする。本発明の特許可能範囲は、特許請求の範囲によって定められかつ当業者が起想するその他の実施例を含むことができる。そのような実施例は、それらが特許請求の範囲の文言とは異ならない構成要素を有する場合又はそれらが特許請求の範囲の文言に記載された要素と等価の構成要素を含む場合に特許請求の範囲の技術的範囲内にあることを意図している。
【符号の説明】
【００２２】
１００  入口案内ベーンシステム
１０２  ピン
１０４  作動リング
１０６  ベーン
１０８  四バー機構
２００  入口案内ベーンシステム
２０２  ピン
２０４  作動リング
２０６  ベーン
２０８  アクチュエータ
３００  コンパクト入口案内ベーンシステム
３０２  作動ロッド
３０４  ブラケット
３０６  クランク
３０８  作動リング
３１０  クランクロッド
３１２  ノズルベーン
３１４  スプライン継手
４００  フローチャート
４０２  ステップ
４０４  ステップ
４０６  ステップ
【図１】
2013053622.tif 000003
【図２】
2013053622.tif 000004
【図３】
2013053622.tif 000005
【図４】
2013053622.tif 000006